(57)【要約】【課題】  本発明は、インバータ回路に手を加えることなく、簡単な構成でＰＷＭ調光時に発生する騒音を確実に低減できる画像表示装置を提供する。【解決手段】  画像表示装置であって、画像信号および音声信号を受信する受信手段（受信部２、外部情報入力部３）と、バックライト１５を備えた表示手段（液晶パネル７）と、前記バックライト１５の駆動を行なうインバータ回路１４と、前記バックライト１５の調光制御を行なうため、前記インバータ回路１４に調光制御信号を入力する制御手段（中央制御部９）と、前記バックライト１５を調光制御している時、前記制御手段からの前記調光制御信号に基づいて、前記インバータ回路１４から発生する騒音を打ち消す作用を生成する生成手段（消音信号発生部６２、位相調整部６３）とを有することを特徴とする。【選択図】  図１
2005303853.tif 000002
【特許請求の範囲】
【請求項１】
画像信号および音声信号を受信する受信手段と、
バックライトを備えた表示手段と、
前記バックライトの駆動を行なうインバータ回路と、
前記バックライトの調光制御を行なうため、前記インバータ回路に調光制御信号を入力する制御手段と、
前記バックライトを調光制御している時、前記制御手段からの前記調光制御信号に基づいて、前記インバータ回路から発生する騒音を打ち消す作用を生成する生成手段とを有することを特徴とする画像表示装置。
【請求項２】
前記生成手段は、前記インバータ回路から発生する騒音を打ち消すように作用する消音信号を生成し、前記消音信号は、前記インバータ回路から発生する騒音と逆位相の信号であることを特徴とする請求項１に記載の画像表示装置。
【請求項３】
前記画像表示装置は、前記受信手段により受信される前記音声信号に基づく音声を出力する音声出力手段を有し、前記消音信号に基づく音は前記音声出力手段より出力されるように制御されることを特徴とする請求項１または２に記載の画像表示装置。
【請求項４】
前記生成手段は、前記音声出力手段からの音声出力の状態に基づいて前記消音信号を生成することを特徴とする請求項１乃至３のいずれかに記載の画像表示装置。
【請求項５】
前記生成手段は、前記音声出力手段から前記音声信号に基づく音声出力が無い場合、前記消音信号を生成することを特徴とする請求項４に記載の画像表示装置。
【発明の詳細な説明】
【技術分野】
【０００１】
本発明は、液晶表示装置等の画像表示装置に関する。
【背景技術】
【０００２】
従来、液晶表示装置等のバックライトの光量を変化させる調光方式として、インバータ回路の発振動作をオン・オフさせる期間の割合を変化させて調光を行なうＰＷＭ（パルス幅変調）調光方式が用いられている。ＰＷＭ調光方式では、インバータ回路の発振動作により、チョークコイル等から騒音が発生することが問題となっていて、例えば、チョークコイルに相互誘導結合するコイルを設け、このコイルのインダクタンス成分を短絡する手段を設けることにより、チョークコイルに点灯周波数と同じ高周波電流を発生させて、騒音を低減する装置等が知られている（特許文献１）。
【特許文献１】特開平８−４５６８０号公報
【発明の開示】
【発明が解決しようとする課題】
【０００３】
しかしながら、特許文献１に記載の装置は、インバータ回路にコイル等の回路部品を新たに設ける必要があるため、回路構成が複雑になり回路部品のばらつき等の影響を受けるものであった。
本発明は、このような問題点に鑑みなされたものであり、インバータ回路に手を加えることなく、簡単な構成でＰＷＭ調光時に発生する騒音を確実に低減できる画像表示装置を提供するものである。
【課題を解決するための手段】
【０００４】
本発明の画像表示装置は、画像信号および音声信号を受信する受信手段と、バックライトを備えた表示手段と、前記バックライトの駆動を行なうインバータ回路と、前記バックライトの調光制御を行なうため、前記インバータ回路に調光制御信号を入力する制御手段と、前記バックライトを調光制御している時、前記制御手段からの前記調光制御信号に基づいて、前記インバータ回路から発生する騒音を打ち消す作用を生成する生成手段とを有することを特徴とする。
前記生成手段は、前記インバータ回路から発生する騒音を打ち消すように作用する消音信号を生成し、前記消音信号は、前記インバータ回路から発生する騒音と逆位相の信号であることを特徴とする。
前記画像表示装置は、前記受信手段により受信される前記音声信号に基づく音声を出力する音声出力手段を有し、前記消音信号に基づく音は前記音声出力手段より出力されるように制御されることを特徴とする。
前記生成手段は、前記音声出力手段からの音声出力の状態に基づいて前記消音信号を生成することを特徴とする。
前記生成手段は、前記音声出力手段から前記音声信号に基づく音声出力が無い場合、前記消音信号を生成することを特徴とする。
【発明の効果】
【０００５】
本発明は、インバータ回路に手を加えることなく、簡単な構成でＰＷＭ調光時に発生する騒音を確実に低減できる画像表示装置を提供することができる。
【発明を実施するための最良の形態】
【０００６】
次に、本発明の内容を詳細に説明するが、本発明はこれら実施の形態に何ら限定されるものではない。
【０００７】
図１は、本発明の実施の形態にかかる画像表示装置の主要部のブロック図である。本発明の画像表示装置は、放送信号を受信するアンテナ１、アンテナ１を通して受信された放送信号を映像検波し、画像信号および音声信号を出力する受信部２、放送信号以外に外部から画像音声情報を入力するための外部入力端子や外部メモリ用スロットなどで構成される外部情報入力部３、放送信号と外部情報入力部３からの画像音声情報とのいずれかを表示等するために選択するための切替部４、切替部４からの画像信号を信号処理する画像処理部５、切替部４からの音声信号を信号処理する音声処理部６、画像処理部５で信号処理された画像を表示する表示部としての液晶パネル７、音声処理部６で信号処理された音声を出力するスピーカ等の音声出力手段８、画像表示装置の各制御を行なう中央制御部（マイコン）９、各種設定値等を記憶する記憶部１０等から構成される。
【０００８】
こうした画像信号または音声信号の処理に際しては、ユーザーの設定値制御によって、中央制御部９において所定の制御処理（例えばＣＨ切替、入力切替、音量調整等）がなされる。このような制御処理をユーザーが操作するための操作手段は、例えば、キー操作が可能な操作部１１や、リモコンなどの遠隔操作部１２と遠隔操作部１２のキー操作によって発生する所定の制御信号を受光する受光部１３等で構成される。これらの操作手段によって設定された各種設定値は、記憶部１０において記憶されることにより、画像又は音声情報の出力状態を保持することができる。
【０００９】
また、これらの画像信号または音声信号に対してユーザーが設定値制御を行う際は、操作部１１または遠隔操作部１２等の操作手段のキー（例えば、メニューキー等）の入力操作によって制御信号が発せられることで、記憶部１０等に記憶されたＯＳＤメニュー項目を表示するための各種文字あるいは記号のパターンを中央制御部９が呼び出し、その結果、画面上に表示された画像情報が例えば部分的に上書きされた状態あるいは半透明上に視聴できる状態で表示される。これにより、ユーザーが画面上の画像情報を見ることにより、変更された設定値の結果を認識しながら操作することができる。
【００１０】
表示部としての液晶パネル７は、画像処理部５よりデジタル値として送られた各絵素の画像信号に対して、記憶、アナログ変換等の処理を行うための垂直および水平ドライバ、ならびにＴＦＴ素子、液晶層、カラーフィルタ、偏光板等から構成される絵素が主に備えられ、各絵素の階調表示は水平ドライバから送られた印加電圧に応じて的確に制御表示され、この水平ドライバからの出力電圧は垂直ドライバからの制御信号によるライン選択によって的確なラインに印加される。
【００１１】
なお、液晶パネル７は非自己発光素材であるため、液晶パネル７の近傍に照明部材を提供する必要があり、例えば、バックライト１５とその内部にある光源を駆動させるための駆動装置であるインバータ回路１４を備えている。このような照明部材によって、液晶パネル７により制御出力された各階調映像を表示することが可能となる。
【００１２】
次に、本発明の特徴的構成について説明する。
バックライト１５の調光制御を行なうために、中央制御部９からインバータ回路１４へ調光制御信号が入力される。インバータ回路１４は、調光制御信号に基づいてＰＷＭ制御による調光を行なうが、前述したように、インバータ回路１４のチョークコイル等の構成部品から騒音が発生してしまう。本発明では、騒音を低減させるために、騒音と逆位相の音を音声出力手段８から出力させて、騒音を打ち消すように作用させている。騒音と逆位相の音を発生させるための消音信号を生成するため、音声処理部６は、消音信号発生部６２および位相調整部６３を有している。消音信号発生部６２および位相調整部６３は、中央制御部９から入力された調光制御信号の振幅、周波数、位相等に基づいて、騒音と逆位相の消音信号を生成する。このようにして、インバータ回路１４から発生する騒音は、消音信号発生部６２、位相調整部６３により生成された消音信号に基づく音により打ち消されて低減されるものである。
【００１３】
なお、消音信号に基づく音の出力手段は、画像表示装置が有している音声出力手段８を利用しているため、部品点数の削減および小型化に寄与するものである。勿論、音声出力手段８とは別にスピーカ等を設けて、消音信号に基づく音を出力する構成にしてもよい。
【００１４】
ところで、調光制御が行なわれている時には、音声出力手段８から音声出力がある状態と音声出力が無い状態が存在し、音声が出力されている時には、インバータ回路１４から発生する騒音は気にならないものである。
【００１５】
本発明は、さらにこの点に着目して、調光制御が行なわれている時に、音声出力手段８から音声出力が無い場合には消音信号を発生させ、音声出力がある場合には消音信号を発生させないように制御することにより、無駄な電力の消費を抑え、かつ、騒音を確実に低減できるようにしたものである。
【００１６】
以下、調光制御が行なわれている時に、音声出力手段８から音声出力がない場合の具体例について説明する。
一つはユーザーの操作等によって、一定期間の無音状態が発生する場合である。
操作部１１または遠隔操作部１２等の操作手段では、音量調整のための調整キー（例えば音量インクリメントキーや消音キー等）によって音量調整操作を行なうことができるように構成されている。従って、調光制御が行なわれている時に、操作手段により音量を零にする操作がなされている場合は、音声出力手段８から音声出力がない状態となる。また、音量調整のための各種調整キー以外にも例えば、チャンネル切替キーや入力切換キーを押下した時からこの操作後に所定の映像を表示するまでは、例えばスケーリング処理やデジタル放送等の大容量映像に対するデコード処理の長時間化等の理由によって、一定時間（数秒程度）を要することがある。この間は通常、放送信号の音声信号が出力されることは無く、その一方で調光制御が行なわれ続ける場合があるので、この数秒の一定時間に対し、消音手段である消音信号を発生させるのも良い。
したがって、この操作部１１又は遠隔操作部１２の操作手段の消音キー、音量インクリメントキー、チャンネル選択キー、チャンネルインクリメントキー、入力切換キーが操作されたときは、その操作結果が出力されるまでの間以上の期間は、インバータ回路１４から発生する騒音を消音するための消音手段を機能させるようにすればよい。
【００１７】
この時の、消音信号の制御の一例について、図２のフローチャートに基づいて説明する。まず、調光制御が行なわれているか否かが判断され（Ｓ１）、調光制御が行なわれていない場合は、消音信号発生部６２において消音信号の発生が停止した状態が維持される（Ｓ４）。調光制御が行なわれている場合は、操作手段により音量を零にする操作がなされているか否かが、中央制御部９で判断される（Ｓ２）。音量が零でなく音声が出力される状態の場合は、消音信号を発生させなくても、音声出力により騒音は気にならないため、消音信号発生部６２において消音信号の発生が停止した状態が維持される（Ｓ４）。音量が零の場合は、騒音が不快な音として認識されるため、消音信号発生部６２および位相調整部６３は、中央制御部９からの調光制御信号に基づいて消音信号を発生するように制御される（Ｓ３）。従って、騒音は消音信号に基づく音により打ち消されて低減される。消音信号が発生している状態で、調光制御が行なわれなくなった場合（Ｓ１）または音量が零でなくなった場合（Ｓ２）は、中央制御部９は消音信号の発生を停止するように制御する。このように、操作手段の音量調整の操作に基づいて音声出力の有無を判断して、消音信号の制御を行なうため、無駄な電力の消費を抑え、かつ、騒音を確実に低減することができる。
【００１８】
なお、図２のフローチャートでは、音量が零か否かで消音信号の発生を制御しているが、本発明はこれに限定されるものではない。例えば、音量が零でなくても、音量が小さくて騒音が気になる場合もありうる。そのような場合は、騒音が気にならなくなる音量を予め記憶部１０等に記憶させておき、その音量以下に音量調整の操作が行なわれた時には、消音信号を発生させるように制御することもできる。このような構成にすれば、より確実に騒音を低減することができる。
【００１９】
調光制御が行なわれている時に、音声出力手段８からの音声出力がない場合の他の具体例は、放送信号等に含まれる音声信号が無音状態である場合である。
すなわち、受信部２や外部情報入力部３から放送信号や画像音声情報等のデータが入力され、液晶パネル７で画像が表示されている時でも、入力されたデータの音声信号が無音状態である場合は、音声出力手段８から音声出力がない状態となる。このような場合は、例えばデコーダ６１等で音声信号が無音レベルであると検出したことにより、中央制御部９にその検出信号が出力され、それによって消音信号発生部６２から消音信号を発生するように制御を行う。その際、中央制御部９からの調光制御信号に基づいて、位相調整部６３の位相調整制御が行われる。
【００２０】
この場合の、消音信号の制御について、図３のフローチャートに基づいて説明する。まず、調光制御が行なわれているか否かが判断され（Ｓ１１）、調光制御が行なわれていない場合は、消音信号発生部６２において消音信号の発生が停止した状態が維持される（Ｓ１４）。調光制御が行なわれている場合は、入力されたデータに含まれる音声信号の状態が中央制御部９で判断される（Ｓ１２）。すなわち、デコーダ６１等で音声信号が無音レベルか否かを検出して、その検出結果が中央制御部９に出力されることにより音声出力の有無が判断される。例えば、無音レベルの状態が予め設定してある所定時間継続している場合には、音声信号が無いと判断される。この所定時間は、騒音が不快な音として認識される時間を設定しておくことができる。音声信号が無音レベルでない場合は、消音信号を発生させなくても、音声出力により騒音は気にならないため、消音信号発生部６２において消音信号の発生が停止した状態が維持される（Ｓ１４）。音声信号が無音レベルの状態の場合は、騒音が不快な音として認識されるため、消音信号発生部６２および位相調整部６３は、中央制御部９からの調光制御信号に基づいて、消音信号を発生するように制御される（Ｓ１３）。従って、騒音は消音信号に基づく音により打ち消されて低減される。消音信号が発生している状態で、調光制御が行なわれなくなった場合（Ｓ１１）または無音レベルでなくなった場合（Ｓ１２）は、中央制御部９は消音信号の発生を停止するように制御する。このように、データに含まれる音声信号が無音レベルか否かに基づいて音声出力の有無を判断して、消音信号の制御を行なうため、無駄な電力の消費を抑え、かつ、騒音を確実に低減することができる。
【００２１】
また、図２および図３等に基づいて説明した上記の消音信号の各制御は、それぞれ個別に実施してもよいが、各制御を組み合わせて実施することが好ましい。そのようにすれば、より電力効率がよく精度の高い騒音の低減を行なうことができる。
【図面の簡単な説明】
【００２２】
【図１】本発明の実施の形態にかかる画像表示装置のブロック図。
【図２】本発明の実施の形態にかかる消音信号の制御に関するフローチャート。
【図３】本発明の実施の形態にかかる消音信号の他の制御に関するフローチャート。
【符号の説明】
【００２３】
１      アンテナ
２      受信部（受信手段）
３      外部情報入力部（受信手段）
４      切替部
５      画像処理部
６      音声処理部
６１    デコーダ
６２    消音信号発生部（生成手段）
６３    位相調整部（生成手段）
７      液晶パネル（表示手段）
８      音声出力手段
９      中央制御部（制御手段）
１０    記憶部
１１    操作部
１２    遠隔操作部
１３    受光部
１４    インバータ回路
１５    バックライト
【図１】
2005303853.tif 000003
【図２】
2005303853.tif 000004
【図３】
2005303853.tif 000005